(57)【要約】【課題】除菌効果に優れているとともに、取り扱いが容易で、広範囲な用途で使用することができる除菌洗浄剤を提供する。【解決手段】本発明の除菌洗浄剤は、両性界面活性剤であるポリオクチルポリアミノエチルグリシン２．５〜５．０質量％、アニオン性界面活性剤１．０〜２．１質量％、及び、非イオン性界面活性剤４．３〜８．８質量％を含有し、ｐＨ値が６〜８の範囲内にある。ここで、アニオン性界面活性剤は少なくともアルキルエーテル硫酸エステル塩を含むものであり、非イオン性界面活性剤は少なくともポリオキシエチレンアルキルエーテルを含むものであることが好ましい。【選択図】なし【特許請求の範囲】
【請求項１】
両性界面活性剤であるポリオクチルポリアミノエチルグリシン２．５〜５．０質量％、アニオン性界面活性剤１．０〜２．１質量％、及び、非イオン性界面活性剤４．３〜８．８質量％を含有し、ｐＨ値が６〜８の範囲内にあることを特徴とする除菌洗浄剤。
【請求項２】
前記アニオン性界面活性剤は少なくともアルキルエーテル硫酸エステル塩を含むものであり、前記非イオン性界面活性剤は少なくともポリオキシエチレンアルキルエーテルを含むものであることを特徴とする請求項１記載の除菌洗浄剤。
【請求項３】
前記ポリオクチルポリアミノエチルグリシン２．５〜５．０質量％、前記アニオン性界面活性剤１．０〜２．１質量％、及び、前記非イオン性界面活性剤４．３〜８．８質量％を含有するものを水で多くとも１０倍までの範囲内、又は、１０倍から２００倍までの範囲内で希釈したことを特徴とする請求項１又は２記載の除菌洗浄剤。
【発明の詳細な説明】
【技術分野】
【０００１】
本発明は、除菌効果を有する除菌洗浄剤に関するものである。
【背景技術】
【０００２】
除菌洗浄剤の代表例として、塩素系の洗浄剤がある。この塩素系の洗浄剤は、カビ取り剤、漂白剤等として一般家庭において広く利用されている。また、最近では、亜鉛、銅、銀などの抗菌効果のある金属イオンを含有する洗浄剤も開発されている（例えば、特許文献１参照。）。特に、塩素系の洗浄剤や金属イオンを含有する除菌洗浄剤は、即効性に優れているという特徴がある。
【先行技術文献】
【特許文献】
【０００３】
【特許文献１】特開２００９−２３５０５８号公報
【発明の概要】
【発明が解決しようとする課題】
【０００４】
しかしながら、従来の塩素系、金属イオン系の除菌洗浄剤は即効性に優れているが、一カ月もたたないうちにカビが発生してしまうなど、除菌効果の持続性が劣るという問題があった。また、一般に塩素系の漂白剤は悪臭が酷く、しかも、皮膚に付着したときの刺激が強いので、作業者はゴム手袋を装着して、取扱いに十分注意しながら作業を行わなければならない。更に、洗浄後には洗浄剤を水で丁寧に洗い流す必要があり、地球環境にとって良くないという問題もある。また、洗浄剤を水で洗い流してもその臭いを完全に消し去ることはできない。
また、最近では、各家庭での清潔意識が高まってきており、広範囲な用途で使用することができる除菌力・洗浄力に優れた洗浄剤の開発が望まれている。
【０００５】
本発明は上記事情に基づいてなされたものであり、除菌効果に優れているとともに、取り扱いが容易で、広範囲な用途で使用することができる除菌洗浄剤を提供することを目的とするものである。
【課題を解決するための手段】
【０００６】
上記の目的を達成するための本発明に係る除菌洗浄剤は、両性界面活性剤であるポリオクチルポリアミノエチルグリシン２．５〜５．０質量％、アニオン性界面活性剤１．０〜２．１質量％、及び、非イオン性界面活性剤４．３〜８．８質量％を含有し、ｐＨ値が６〜８の範囲内にあることを特徴とするものである。
【０００７】
また、アニオン性界面活性剤は少なくともアルキルエーテル硫酸エステル塩を含むものであり、非イオン性界面活性剤は少なくともポリオキシエチレンアルキルエーテルを含むものであることが好ましい。
【０００８】
更に、ポリオクチルポリアミノエチルグリシン２．５〜５．０質量％、アニオン性界面活性剤１．０〜２．１質量％、及び、非イオン性界面活性剤４．３〜８．８質量％を含有するものを水で多くとも１０倍までの範囲内、又は、１０倍から２００倍までの範囲内で希釈してもよい。
【発明の効果】
【０００９】
本発明に係る除菌洗浄剤は、洗浄に適した成分と除菌に適した成分とを配合したことにより、洗浄と除菌及び消臭を同時に行うことができる。しかも、この除菌洗浄剤は、持続性の除菌効果に優れているとともに、取り扱いが容易で、広範囲な用途で使用することができる。
【発明を実施するための形態】
【００１０】
以下に、本発明の内容を詳しく説明する。
本発明に係る除菌洗浄剤は、グリシン型の両性界面活性剤と、アニオン性界面活性剤と、非イオン性界面活性剤とを含有し、ｐＨ値が６〜８の範囲内にあることを特徴とするものである。一般に、界面活性剤は、界面の性質を変える作用があり、界面張力を下げ、水と油を混ぜることができる。そして、この界面活性剤の働きとしては、湿潤作用・浸透作用・可溶化作用・再付着防止作用等がある。
【００１１】
グリシン型の両性界面活性剤は、優れた殺菌力を有しており、本発明に係る除菌洗浄剤において主に殺菌成分として機能する。具体的に、本発明の除菌洗浄剤では、グリシン型の両性界面活性剤として、下記の構造式で表されるものが用いられる。尚、本発明では、下記の構造式で表されないもの、例えば長鎖アルキルジ（アミノエチル）グリシン等は、グリシン型の両性界面活性剤として使用しない。
【００１２】
【化１】
2013006941.tif 000002
【００１３】
特に、グリシン型の両性界面活性剤としては、ポリオクチルポリアミノエチルグリシンを用いることが好ましい。ポリオクチルポリアミノエチルグリシンは、多くの優れた特徴を有している。すなわち、ポリオクチルポリアミノエチルグリシンは、広い範囲で殺菌力・除菌力を発揮すると共に、かなり強い洗浄力を示す。この洗浄力による細菌やウイルスを洗い流す効果は殺菌力・除菌力に相乗効果を与えている。そして、蛋白質等の共存下でも殺菌力・除菌力の低下が少ない。このように、ポリオクチルポリアミノエチルグリシンは、汚れを除去するばかりでなく、様々な菌やカビの除去・繁殖防止の除菌効果に極めて優れている。しかも、毒性が少ないので、食品用器具、建物、調度品等に使用しても差し支えなく、皮膚に付着しても何らの害もない。また、ポリオクチルポリアミノエチルグリシンは、海水や硬水、あるいはアニオン石鹸水によく溶解するという汎用性を備えている。更に、寒冷、温暖の影響を受け難く、簡単に水に溶解するので、作業性にも優れている。
【００１４】
本発明の除菌洗浄剤において、アニオン性界面活性剤及び非イオン性界面活性剤は、主に洗浄成分として機能する。このアニオン性界面活性剤としては、例えば、アルキルエーテル硫酸エステル塩、高級アルコール硫酸エステル塩、液体脂肪油硫酸エステル塩、Ｎ−アシルサルコシン塩、脂肪酸石鹸、アルキル（Ｎ−メチル）タウリン塩、アルキルアリールスルホン酸塩、ナフタレン誘導体スルホン酸塩、スルホコハク酸ジアルキルエステル塩、スルホコハク酸アルキル２ナトリウム、ポリオキシエチレンアルキルエーテル燐酸等が挙げられる。これらは、単独で又は２種以上組み合わせて使用することができる。かかるアニオン性界面活性剤には帯電防止作用がある。
【００１５】
また、上記の非イオン性界面活性剤としては、例えば、ポリオキシエチレンアルキルエーテル、ポリオキシプロピレンポリオキシエチレンアルキルエーテル、ポリオキシエチレンポリオキシプロピレンエーテル誘電体、ポリエチレングリコール、メトキシポリエチレングリコール、ソルビタン脂肪酸エステル、グリセロールボレート脂肪酸エステル、ポリオキシエチレンアルキルアミン、ポリオキシエチレンソルビタン脂肪酸エステル、ポリオキシエチレングリセロールボレート脂肪酸エステル、ポリオキシエチレンアルキルエステル、脂肪酸アルカノールアミド、ポリオキシエチレン脂肪酸アルカノールアミド等が挙げられる。これらは、単独で又は２種以上組み合わせて使用することができる。かかる非イオン性界面活性剤には、乳化力、浸透力及び分散力に優れ、生物分解性もよいという特徴がある。さらに、帯電防止作用もある。
【００１６】
本発明の除菌洗浄剤において、グリシン型の両性界面活性剤の含有量は２．５〜５．０質量％であり、アニオン性界面活性剤の含有量は１．０〜２．１質量％であり、非イオン性界面活性剤の含有量は４．３〜８．８質量％である。かかる含有割合は、除菌効果及び洗浄効果をともに安定して発揮することができるようにするという観点から定められた。このように、本発明の除菌洗浄剤では、グリシン型の両性界面活性剤の含有割合が多く、グリシン型の両性界面活性剤を主成分としていることが本発明の一つの特徴である。
【００１７】
本発明の除菌洗浄剤は、上記各界面活性剤の他に、除菌効果及び洗浄効果を損なわない範囲で、ｐＨ調整剤、香料、色素、酸化防止剤、防腐剤、粘度調整剤等の各種の添加剤を含有することができる。尚、本発明の除菌洗浄剤の残りの成分は、水である。
【００１８】
また、本発明の除菌洗浄剤のｐＨ値は６．０〜８．０の範囲内である。すなわち、この除菌洗浄剤は中性の洗浄剤であるので、手にやさしく安全性・作業性に優れている。中性であるということは本発明の一つの特徴である。
【００１９】
本発明の除菌洗浄剤は、例えば、上記各界面活性剤を含有する香粧品・洗剤原料等を水とともに混合することにより製造することができる。
【００２０】
本発明の除菌洗浄剤は、各種の界面活性剤を含むことにより洗浄力に優れているとともに、グリシン型の両性界面活性剤を主成分として２．５〜５．０質量％含有することにより、高い除菌効果及び消臭効果を得ることができる。すなわち、この除菌洗浄剤は、洗浄に適した成分と除菌に適した成分とを配合したことにより、洗浄と除菌及び消臭を同時に行うことができる。そして、本発明の除菌洗浄剤の持つ除菌効果及び消臭効果は持続性を有する。実際、この除菌洗浄剤を水で例えば１００倍に薄めたものを使用しても、除菌効果及び消臭効果を十分に発揮し続けることができる。また、グリシン型の両性界面活性剤については毒性が少なく、しかも、本発明の除菌洗浄剤は中性であるので、手にやさしく、取り扱いが容易で作業性に優れている。更に、アニオン性界面活性剤及び非イオン性界面活性剤の持つ帯電防止作用により、本発明の除菌洗浄剤をつけた布等で被洗浄物を拭いて被洗浄物の表面にこの除菌洗浄剤の被膜を作れば、汚れが長期間、付着しにくくすることができる。
【００２１】
また、本発明の除菌洗浄剤では、アニオン性界面活性剤の含有量が１．０〜２．１質量％であって、グリシン型の両性界面活性剤の含有量（２．５〜５．０質量％）、非イオン性界面活性剤の含有量（４．３〜８．８質量％）に比べて相対的に少ないことにより、泡立ちが少なく、泡切れがよいという特徴がある。このため、除菌洗浄剤を洗い流すための水の使用量が少なくて済むので、経済的であり、地球環境にもやさしい。尚、本発明の除菌洗浄剤（原液）を水で多くとも２００倍までの範囲内で希釈したものを用いても、上述した原液の持つ効果と同様の効果が得られる。
【００２２】
このように、本発明の除菌洗浄剤は、グリシン型の両性界面活性剤の持つ特徴と、非イオン性界面活性剤の持つ特徴と、アニオン性界面活性剤の持つ特徴とをそれぞれ余すことなく発揮し、しかも、それら各特徴の相乗効果も十分に働くので、洗浄力等のあらゆる点で従来の除菌洗浄剤に比べて高い能力を示す。したがって、本発明の除菌洗浄剤は、浴室、トイレ、洗面所、シンク、エアコン、換気扇、ステンレス、ガラス、鏡、網戸、タイル、床、家具、調度品、自動車、食器、配管、ビル外壁、冷蔵庫、家電製品等、広範囲にわたる被洗浄物の洗浄・除菌（消臭）に使用することができる。
【実施例】
【００２３】
以下に実施例を挙げ、本発明の内容を具体的に説明する。尚、本発明は以下の実施例に限定されるものではなく、その要旨の範囲内において種々の変形が可能である。
【００２４】
［製造］
本発明者等は、除菌・消臭洗浄剤と、食器・野菜洗い洗剤と、水とを混合することにより、本発明の除菌洗浄剤を製造した。ここで、食器・野菜洗い洗剤とは、界面活性剤の作用で、汚れをあら落としするものであり、食器や野菜に付着して人の口に入ることも想定されるため、食品衛生法の規制を受ける。具体的に、除菌・消臭洗浄剤としては、東邦化学株式会社が販売する「オバゾリン（登録商標）５１６Ｓ」（商品名）を用い、食器・野菜洗い洗剤としては、東邦化学株式会社が販売する「ＤＪ−２５０ＣＨ」（商品名）を用いた。ここで、「オバゾリン５１６Ｓ」及び「ＤＪ−２５０ＣＨ」は、一般家庭用として販売されているものではなく、工業用に販売されているものである。
【００２５】
オバゾリン５１６Ｓの成分及び含有量を表１に、ＤＪ−２５０ＣＨの成分及び含有量を表２に、そして、オバゾリン５１６ＳとＤＪ−２５０ＣＨを混合して製造した本実施例の除菌洗浄剤の成分及び含有量を表３に示す。
【００２６】
【表１】
2013006941.tif 000003
【００２７】
オバゾリン５１６Ｓは、表１に示すように、ポリオクチルポリアミノエチルグリシンと、ポリオキシエチレンアルキルエーテルと、水とからなる混合物（液体）である。ここで、ポリオクチルポリアミノエチルグリシンは両性界面活性剤であり、ポリオキシエチレンアルキルエーテルは非イオン性界面活性剤である。このオバゾリン５１６Ｓは、ポリオクチルポリアミノエチルグリシンを約６質量％、ポリオキシエチレンアルキルエーテルを４．０質量％、水を約９０質量％含有している。また、オバゾリン５１６ＳのｐＨ値は５．０〜６．０である。
【００２８】
【表２】
2013006941.tif 000004
【００２９】
一方、ＤＪ−２５０ＣＨは、表２に示すように、非イオン活性剤と、ポリオキシエチレンアルキルエーテルと、アニオン活性剤と、ポリオキシエチレンドデシルエーテル硫酸エステルナトリウム（アルキルエーテル硫酸エステル塩）と、他化合物と、水とからなる混合物（液体）である。ここで、上記の非イオン活性剤、アニオン活性剤、他化合物の詳細は非公開とされている。また、非イオン活性剤、ポリオキシエチレンアルキルエーテルは非イオン性界面活性剤であり、アニオン活性剤、ポリオキシエチレンドデシルエーテル硫酸エステルナトリウムはアニオン性界面活性剤である。このＤＪ−２５０ＣＨは、非イオン活性剤を１質量％、ポリオキシエチレンアルキルエーテルを１２質量％、アニオン活性剤を３質量％、ポリオキシエチレンドデシルエーテル硫酸エステルナトリウムを２質量％、他化合物を約８質量％、水を約７４質量％含有している。また、ＤＪ−２５０ＣＨのｐＨ値は６．０〜８．０である。
【００３０】
【表３】
2013006941.tif 000005
【００３１】
本発明者等は、オバゾリン５１６ＳとＤＪ−２５０ＣＨと水とを２：１：１の割合で混合することにより、本実施例の除菌洗浄剤（原液）を製造した。こうして製造された本実施例の除菌洗浄剤は、表３に示すように、ポリオクチルポリアミノエチルグリシンと、アニオン活性剤と、ポリオキシエチレンドデシルエーテル硫酸エステルナトリウム（アルキルエーテル硫酸エステル塩）と、ポリオキシエチレンアルキルエーテルと、非イオン活性剤と、他化合物と、水とからなる混合物（液体）である。そして、この除菌洗浄剤には、ポリオクチルポリアミノエチルグリシンが約３質量％、アニオン活性剤が０．７５質量％、ポリオキシエチレンドデシルエーテル硫酸エステルナトリウムが０．５質量％、ポリオキシエチレンアルキルエーテルが５．０質量％、非イオン活性剤が０．２５質量％、他化合物が約２質量％、水が約８８．５質量％含有している。すなわち、この除菌洗浄剤は、約３質量％のポリオクチルポリアミノエチルグリシンと、１．２５質量％のアニオン性界面活性剤と、５．２５質量％の非イオン性界面活性剤とを含むものである。また、本実施例の除菌洗浄剤は低刺激、低臭である。
【００３２】
［分析試験］
本実施例の除菌洗浄剤について分析試験を行った。この分析試験は財団法人日本食品油脂検査協会に依頼して行われた。表４に本実施例の除菌洗浄剤についての分析試験の結果を示す。表４に示すように、本実施例の除菌洗浄剤については、そのｐＨ値（２５℃）が６．０であるという結果が得られた。また、蛍光増白剤は検出されず、ひ素（Ａｓ）限度試験、重金属（Ｐｂ）限度試験、メタノール限度試験の結果はいずれも適であった。
【００３３】
【表４】
2013006941.tif 000006
【００３４】
［除菌効果試験］
また、本実施例の除菌洗浄剤について除菌効果試験を行った。この除菌効果試験は、財団法人日本食品分析センターに依頼し、住宅用合成洗剤及び石けんの除菌活性試験方法（平成１９年７月３１日、洗剤・石けん公正取引協議会）にしたがって行われた。具体的に、この試験では、まず、適当な汚れとともに細菌を試験片に接種し、所定時間放置する。その後、試験片に所定量の試験試料を接種し、所定時間後に不活性化剤を用いて細菌の増殖を抑制し、試験片上の生菌数を定量する。この除菌効果試験の試験条件を表５に示す。
【００３５】
【表５】
2013006941.tif 000007
【００３６】
この試験では、細菌（試験菌）として、大腸菌（Escherichia coli NBRC 3972）と黄色ぶどう球菌（Staphylococcus aureus subsp. aureus NBRC 12732）とを用い、それぞれについて試験を行う。また、この細菌とともに接種する汚れとしては、Albumin from bovine serum, Fraction V, Minimum 96 ％ A2153 [SIGMA]を用いる。細菌の生菌数が所定範囲内の値になるように調整した菌液に、この汚れを加えて混合することにより、試験菌液を調整する。ここで、試験菌液中における汚れの濃度は１．５W/V％である。
【００３７】
試験片は複数枚用意する。その半分の枚数の試験片は試験試料用に、残り半分の枚数の試験片は対照試料用に使用される。本試験では、試験試料として、本実施例の除菌洗浄剤（原液）と、その原液を３°の硬水を用いて調整した１００倍希釈液とをそれぞれ用いる。また、対照試料としては、０．０５％ポリソルベート８０溶液を用いる。
【００３８】
試験菌液が接種された複数の試験片にそれぞれ、所定量の試験試料、対照試料を接種した。ここで、各試験片には、０．１ｍＬの試験試料が接種された。そして、各試験片を２５℃±１℃の環境下で５分間静置した。その後、不活性化剤を用いて各試験片における細菌の増殖を抑え、各試験片上の生菌数を測定した。ここで、不活性化剤としては、７％チオ硫酸ナトリウム添加SCDLP培地（日本製薬株式会社）及びLP希釈液を用いた。この除菌効果試験の結果を表６に示す。また、この結果から算出した除菌活性値を表７に示す。
【００３９】
【表６】
2013006941.tif 000008
【００４０】
【表７】
2013006941.tif 000009
【００４１】
表６に示すように、試験菌として大腸菌を用いた場合には、原液用の各試験片では細菌が検出されず（＜１０）、一方、これら原液用の試験片と対照するための対照試料用の各試験片ではそれぞれ、８．０×１０５、８．８×１０５、７．８×１０５の生菌数が測定された。したがって、この場合の試験試料（原液）の除菌活性値は、表７に示すように、４．９より大きいという評価が得られた。ここで、除菌活性値とは、対照試料を接種した試験片の生菌数の常用対数値に対する試験試料を接種した試験片の生菌数の常用対数値の差である。具体的には、対照試料を接種した３つの試験片の生菌数の常用対数値についての平均値から、試験試料を接種した３つの試験片の生菌数の常用対数値についての平均値を減算することにより、除菌活性値を求めている。また、表６に示すように、１００倍希釈液用の各試験片では細菌が検出されず（＜１０）、一方、これら１００倍希釈液用の試験片と対照するための対照試料用の各試験片ではそれぞれ、１．２×１０６、１．９×１０６、１．９×１０６の生菌数が測定された。したがって、この場合の試験試料（１００倍希釈液）の除菌活性値は、表７に示すように、５．２より大きいという評価が得られた。
【００４２】
また、表６に示すように、試験菌として黄色ぶどう球菌を用いた場合には、原液用の各試験片では細菌が検出されず（＜１０）、一方、これら原液用の試験片と対照するための対照試料用の各試験片ではそれぞれ、９．８×１０５、１．０×１０６、１．０×１０６の生菌数が測定された。したがって、この場合の試験試料（原液）の除菌活性値は、表７に示すように、５．０より大きいという結果が得られた。また、表６に示すように、１００倍希釈液用の各試験片ではそれぞれ、２０、＜１０（検出せず）、８０の生菌数が測定され、一方、これら１００倍希釈液用の試験片と対照するための対照試料用の各試験片ではそれぞれ、９．５×１０５、１．０×１０６、１．１×１０６の生菌数が測定された。したがって、この場合の試験試料（１００倍希釈液）の除菌活性値は、表７に示すように、４．６であるという評価が得られた。
【００４３】
このように、原液、１００倍希釈液を５分間作用させただけで、これら原液、１００倍希釈液は、除菌効果のない対照試料と比べて生菌数を１０４分の１以下に減少させることができるので、本実施例の除菌洗浄剤は優れた除菌性能を有することが確認された。
【００４４】
［用途・用法及び効果］
次に、本実施例の除菌洗浄剤について具体的な使用法を説明する。
まず、本実施例の除菌洗浄剤を用いて浴室を洗浄する場合には、原液を使用する。少量の原液をメラミンスポンジ等につけてから水を含ませ、このメラミンスポンジ等を用いて浴槽や浴室床を洗う。また、浴室壁面を洗浄するときには、浴室壁面に原液を吹きかけた後に乾拭きを行う。本発明者等は、本実施例の除菌洗浄剤を用いて浴室の洗浄を行ったところ、浴槽や床にはぬめりが付き難くなり、一方、浴室壁面のカビが取れ、しかも、カビが浴室壁面に発生しにくくなることを確認した。また、浴室の鏡や蛇口（ステンレス）については、原液をつけたメラミンスポンジ等を用いて洗う。ここで、この洗浄剤は洗い流す必要がない。本発明者等は、浴室の鏡がくもり難くなり、蛇口には水垢等が付き難くなることを確認した。尚、本実施例の除菌洗浄剤は香粧品原料を用いて製造されており、しかも中性であるので、入浴中に、この除菌洗浄剤を用いて浴室掃除を行うことができる。
【００４５】
本実施例の除菌洗浄剤を用いてトイレを洗浄する場合には、原液と、その原液を水で１００倍に希釈した１００倍希釈液とを使用する。便器の内側については、メラミンスポンジやたわし等に原液をつけてから水を含ませて掃除を行う。一方、便器の外周囲については、１００倍希釈液をスプレー等で吹きかけ、その後に乾拭きを行う。本発明者等は、本実施例の除菌洗浄剤を用いてトイレの洗浄を行ったところ、汚れが付き難くなると共に、消臭効果が得られることを確認した。このように、本実施例の除菌洗浄剤は、トイレ用洗浄剤として用いるのに好適であり、汚れを落とす効果と汚れを付き難くする効果に加えて、ニオイ対策にも効果がある。
【００４６】
本実施例の除菌洗浄剤を用いてエアコン・換気扇を洗浄する場合には、原液を使用する。原液をメラミンスポンジや雑巾等につけてから水を含ませ、このメラミンスポンジ等を用いてエアコン本体、エアコンフィルター、換気扇等の拭き掃除を行う。特に、汚れが酷い場合には、付け置き洗いをしてもよい。本発明者等は、本実施例の除菌洗浄剤を用いてエアコン・換気扇の掃除を行ったところ、光沢が出ると共に、カビ臭くならないことを確認した。
【００４７】
本実施例の除菌洗浄剤を用いてステンレス、ガラス、鏡を洗浄する場合には、原液を水で１００倍に希釈した１００倍希釈液を使用する。その１００倍希釈液をメラミンスポンジや雑巾等にスプレーし、このメラミンスポンジや雑巾等を用いてステンレス、ガラス、鏡等の拭き掃除を行い、その後、乾拭きを行う。この場合の清掃には水は不要である。また、本実施例の除菌洗浄剤を用いて網戸を洗浄する場合には、１００倍希釈液をスプレー等で吹きかけ、その後、拭きとる。本発明者等は、本実施例の除菌洗浄剤を用いてステンレス、ガラス、鏡、網戸の掃除を行ったところ、汚れが長期間、付き難くなることを確認した。特に、ステンレスについては光沢を出すことができ、ガラスや鏡については透明感が持続し、そして、網戸については２年間以上汚れが付き難くなることを確認した。
【００４８】
また、本実施例の除菌洗浄剤を用いて床、家具、調度品、自動車を洗浄する場合にも、上記のステンレス等を洗浄する場合と同様に、１００倍希釈液をつけた雑巾等を用いて床、家具、調度品、自動車等を拭く。掃除後の床等には光沢が出てとてもきれいになる。このため、本実施例の除菌洗浄剤を用いて床、自動車等を洗浄すれば、ワックスをかける必要はない。また、水を使用しないので掃除がとても楽である。
【００４９】
本実施例の除菌洗浄剤を用いて食器を洗浄する場合には、原液を水で２倍に希釈した２倍希釈液を使用する。この２倍希釈液を含ませたメラミンスポンジ等を用いて食器を洗う。これにより、食器にはスベスベ感を出すことができるとともに光沢も出すことができる。また、本実施例の除菌洗浄剤を用いて配管の洗浄を行う場合には、約１Ｌの原液を配管に流し込み、少し時間をおいてお湯又は水を配管に流す。これにより、配管をきれいにするだけでなく、消臭効果が得られる。更に、本実施例の除菌洗浄剤は、生ごみ、ペット等の消臭に用いることができる。この場合には、原液を水で１００倍に希釈した１００倍希釈液を使用し、この１００倍希釈液をスプレー等で生ごみ、ペット等の周辺に吹きかければよい。このように、本実施例の除菌洗浄剤は消臭剤として使用することができる。
【産業上の利用可能性】
【００５０】
以上説明したように、本発明の除菌洗浄剤は、持続性を有する除菌効果を発揮することができるとともに、取り扱いが容易で、広範囲な用途で使用することができる。具体的に、本発明の除菌洗浄剤は、例えば、浴室、トイレ、洗面所、シンク、エアコン、換気扇、ステンレス、ガラス、鏡、網戸、タイル、床、家具、調度品、自動車、食器、配管、ビル外壁、冷蔵庫、家電製品等、広範囲にわたる被洗浄物の洗浄・除菌（消臭）に使用することができる。